【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】
睡眠疾患の治療のための持続的陽圧／非侵襲的陽圧喚起（ＣＰＡＰ／ＮＩＰＰＶ）装置であって、
送風機（１００；２００；４００）を備え、
前記送風機は、
吸気部（１１８；２１８；４１８）と排気部（１２４；２２０；４４２）との間のガス流路（１１６；２１６；４５４）と、
１つのモータ（１５０；４０２）と、
前記モータ（１５０；４０２）に連絡され、前記モータの回転軸を規定する第１シャフト端及び第２シャフト端を有するシャフト（１５２、４０４）と、
前記第１シャフト端に接続され、第１吸気口（１１８；４１８）を有する第１段インペラー（１１４；２１４；４１４）と、
前記第２シャフト端に接続され、第２吸気口（４２２）を有する第２段インペラー（１１５；２１４；４１４）と
を備え、
前記吸気部から前記排気部へ流れるガスを協同して圧縮すべく、前記第１段インペラー及び前記第２段インペラーが前記吸気部と前記排気部との間に配されるＣＰＡＰ／ＮＩＰＰＶ装置。
【請求項２】
前記第２吸気口（４２２）は、前記第２シャフト端を囲み、前記第１段インペラーと前記第２段インペラーとの間における前記回転軸に沿った位置にある
請求項１に記載のＣＰＡＰ／ＮＩＰＰＶ装置。
【請求項３】
前記送風機は、
前記モータに近接して前記モータを支持し、前記第１段インペラーから前記第２段インペラーまでガスを導く前記ガス流路（１１６；２１６；４５４）を少なくとも部分的に形成するハウジング
をさらに備える請求項１又は２に記載のＣＰＡＰ／ＮＩＰＰＶ装置。
【請求項４】
前記ハウジングは、互いに固定される第１ケーシング及び第２のケーシング（４２４、４２６）を有する
請求項３に記載のＣＰＡＰ／ＮＩＰＰＶ装置。
【請求項５】
前記ハウジング（４２４、４２６）の内面は、前記ガス流路を少なくとも部分的に形成する
請求項３又は４に記載のＣＰＡＰ／ＮＩＰＰＶ装置。
【請求項６】
前記ハウジング（４２４、４２６）の前記内面は、前記モータのモータ静翼に近接して配され、前記モータ静翼と前記内面との間の前記ガス流路を形成する
請求項５に記載のＣＰＡＰ／ＮＩＰＰＶ装置。
【請求項７】
前記送風機は、
ハウジングに配置されたダンピング・スリーブ（４３８、４４０）
をさらに備える請求項１乃至６のいずれかに記載のＣＰＡＰ／ＮＩＰＰＶ装置。
【請求項８】
前記ダンピング・スリーブは、第１の部分及び第２の部分（４３８、４４０）
をさらに備える
請求項７に記載のＣＰＡＰ／ＮＩＰＰＶ装置。
【請求項９】
前記ダンピング・スリーブ（４３８、４４０）は、シリコーン、フォームラバー及び／又はポリウレタンから作成される
請求項７又は８に記載のＣＰＡＰ／ＮＩＰＰＶ装置。
【請求項１０】
前記ガス流路は、前記第１段インペラーから前記第２段インペラーまで螺旋形状を有する
請求項１乃至９のいずれかに記載のＣＰＡＰ／ＮＩＰＰＶ装置。
【請求項１１】
前記第１段インペラー及び前記第２段インペラーのそれぞれは、スカラップ端を有する
請求項１乃至１０のいずれかに記載のＣＰＡＰ／ＮＩＰＰＶ装置。
【請求項１２】
前記第１段インペラーは、ハウジングの第１の端に配置される第１ボリュート（１１２；２１２；４０８）の内部を回転するよう配置される
請求項３乃至１１のいずれかに記載のＣＰＡＰ／ＮＩＰＰＶ装置。
【請求項１３】
前記送風機は、
前記第１段インペラーに近接する第１端部キャップ（１２０；４１６）と、
前記第２段インペラーに近接する第２端部キャップ（１６２；４２８）と
をさらに備え、
前記ガス流路は、前記第１端部キャップと前記第２端部キャップとの間で少なくとも部分的に形成されている
請求項１乃至１２のいずれかに記載のＣＰＡＰ／ＮＩＰＰＶ装置。
【請求項１４】
前記第１端部キャップ（１２０；４１６）は、前記第１段インペラーに至る中央の吸気口（１１８；４１８）を形成する前記第１吸気口を有する
請求項１３に記載のＣＰＡＰ／ＮＩＰＰＶ装置。
【請求項１５】
ハウジングは、前記第２段インペラーに実質的に接する流路に沿って前記ガスを導く排気部（１２０；２２０；４４２）を有する
請求項３乃至１４のいずれかに記載のＣＰＡＰ／ＮＩＰＰＶ装置。
【請求項１６】
第１端部キャップ（１２０；４１６）及び前記モータのモータ静翼の一部は、第１ボリュートを形成する
請求項１３乃至１５のいずれかに記載のＣＰＡＰ／ＮＩＰＰＶ装置。
【請求項１７】
前記第２段インペラーは、ハウジングの第２の端に配置される第２ボリュート（１１３；２１３；４２０、４２８）の内部を回転するよう配置される
請求項１乃至１６のいずれかに記載のＣＰＡＰ／ＮＩＰＰＶ装置。
【請求項１８】
前記第２ボリュートは、モータ静翼に配された起伏を有する板（４２０）及び前記第２端部キャップ（４２８）の内面の間に形成される
請求項１７に記載のＣＰＡＰ／ＮＩＰＰＶ装置。
【請求項１９】
ハウジングはアルミニウムから形成される
請求項３乃至１８のいずれかに記載のＣＰＡＰ／ＮＩＰＰＶ装置。
【請求項２０】
前記第１段インペラー及び前記第２段インペラーは、同方向に回転する
請求項１乃至１９のいずれかに記載のＣＰＡＰ／ＮＩＰＰＶ装置。
【請求項２１】
前記第１段インペラー及び前記第２段インペラーは、反対方向に回転する
請求項１乃至１９のいずれかに記載のＣＰＡＰ／ＮＩＰＰＶ装置。
【請求項２２】
前記第１段インペラー及び前記第２段インペラーは、空気を同一方向に導くよう配された複数のブレード（１５８）を有する
請求項１乃至２０のいずれかに記載のＣＰＡＰ／ＮＩＰＰＶ装置。
【請求項２３】
前記第１段インペラー及び前記第２段インペラーは、空気を反対方向に導くように配された複数のブレード（１５８）を有する
請求項１乃至２０、及び請求項２１のいずれかに記載のＣＰＡＰ／ＮＩＰＰＶ装置。
【請求項２４】
前記モータ（１５０；４０２）は、希望のＩＰＡＰ（吸気気道陽圧）及びＥＰＡＰ（呼気気道陽圧）の圧力を達成すべく駆動される
請求項１乃至２３のいずれかに記載のＣＰＡＰ／ＮＩＰＰＶ装置。
【請求項２５】
マスクとしての患者とのインタフェース
をさらに備える請求項１乃至２４のいずれかに記載のＣＰＡＰ／ＮＩＰＰＶ装置。
【請求項２６】
患者の呼吸サイクルにおける吸息フェーズの間に吸気気道陽圧（ＩＰＡＰ）を供給し、患者の呼吸サイクルにおける呼息の間に呼気気道陽圧（ＥＰＡＰ）を供給すべく予め設定されている
請求項１乃至２５のいずれかに記載のＣＰＡＰ／ＮＩＰＰＶ装置。
【請求項２７】
前記ＩＰＡＰは前記ＥＰＡＰより大きい
請求項２４乃至２６のいずれかに記載のＣＰＡＰ／ＮＩＰＰＶ装置。
【請求項２８】
前記送風機は、患者とのインタフェースにおける測定で約１８０Ｌ／ｍｉｎまでの流量でおよそ４ｃｍＨ２Ｏから２８ｃｍＨ２Ｏまでの範囲の圧力を生成する
請求項１乃至２７のいずれかに記載のＣＰＡＰ／ＮＩＰＰＶ装置。
【請求項２９】
前記第１シャフト端及び前記第２シャフト端は、前記モータの対向する側から延伸する
請求項１乃至２８のいずれかに記載のＣＰＡＰ／ＮＩＰＰＶ装置。
【手続補正２】
【補正対象書類名】明細書
【補正対象項目名】０００５
【補正方法】変更
【補正の内容】
【０００５】
現在のところ、理想的なＣＰＡＰシステムで要求される２つの異なる圧力、ＩＰＡＰ及びＥＰＡＰを生じるように、送風機及びインペラーを構成することができる２つの共通の方法がある。第１の方法は、一定の高い圧力を生成するためにモータ／インペラーを設定し、次に、必要なＩＰＡＰ及びＥＰＡＰ圧力を達成するために高い圧力を調整するダイバーター・バルブ配置を使用する方法である。第1の方法によるＣＰＡＰシステムは、ダイバータを有する単一速度の二段式システムと呼ばれる。第２の方法は、直接ＩＰＡＰ及びＥＰＡＰの圧力を生成するために、インペラーを駆動するモータを加速する方法である。第２の方法によるＣＰＡＰシステムは、変速の二段式（ｂｉ−ｌｅｖｅｌ）システムと呼ばれる。なお、本出願に対応する米国出願に関して、下記の特許文献及び非特許文献が米国特許商標庁に通知されている。
【特許文献１】米国特許第４５２３８９６号明細書
【特許文献２】米国特許第４９４６３４８号明細書
【特許文献３】米国特許第５１２７８００号明細書
【特許文献４】米国特許第５８８８０５３号明細書
【特許文献５】米国特許第６５１４０５３号明細書
【特許文献６】米国特許出願公開第２００２／００５６４５３号明細書
【特許文献７】米国特許出願公開第２００３／００８４９００号明細書
【特許文献８】米国特許出願公開第２００３／０１６８０６４号明細書
【特許文献９】米国特許出願公開第２００５／０１０３３３９号明細書
【特許文献１０】独国特許発明第２７５６１２号明細書
【特許文献１１】独国特許出願公開第３００５０９４号明細書
【特許文献１２】欧州特許出願公開第１３１８３０７号明細書
【特許文献１３】国際公開第００／４２３２４号パンフレット
【特許文献１４】国際公開第９８／３１９３７号パンフレット
【特許文献１５】国際公開第９８／３３４３３号パンフレット
【特許文献１６】国際公開第９９／１３９３２号パンフレット
【非特許文献１】国際調査報告書  ＰＣＴ／ＡＵ２００４／０００７７１
【非特許文献２】J. H. Emersion Co., Cough Assist, "NON-INVASIVE REMOVAL OF BRONCHIAL SECRETIONS", p.2